(57)【特許請求の範囲】
【請求項１】
設置面に対して起立する対象物の照射面に光を照射する照明装置であって、
光源と、前記光源を収容する筐体と、前記筐体に収容されて前記光源が放射する光の経路を調整する光調整部とを備え、
前記光源は、前記筐体において、一方向に並べて配置される第１の光源と第２の光源とを備え、
前記第２の光源は、前記第１の光源に対して前記一方向の一方側に配置され、
前記光調整部は、前記第１の光源から照射される光を反射する第１の反射板および第２の反射板と、前記第２の光源から照射される光を反射する第３の反射板および第４の反射板と、前記第１の反射板と前記第２の反射板の間に設けられる第１の光調整板と、前記第３の反射板と前記第４の反射板の間に設けられる第２の光調整板とを備え、
前記第１の反射板の反射面と前記第２の反射板の反射面のそれぞれは、前記一方向において、互いに向き合うように配置され、前記第３の反射板の反射面と前記第４の反射板の反射面のそれぞれは、前記一方向において、互いに向き合うように配置され、
前記第１の光調整板は、前記第１の反射板の反射面と前記第２の反射板の反射面の間に設けられ、前記第１の光源の光軸よりも前記一方側に前記第１の光源が照射する光の一部を遮断し、前記第２の光調整板は、前記第３の反射板の反射面と前記第４の反射板の反射面の間に設けられ、前記第２の光源の光軸よりも前記一方側に前記第２の光源が照射する光の一部を遮断し、
前記第１の光調整板は、両面が光を遮断する遮光面に形成され、
前記第２の光調整板は、両面が光を遮断する遮光面に形成され、
前記第１の光調整板は、前記第１の光調整板の両面のうち第１面が前記第１の光源と向き合うように配置され、
前記第１面は、前記第１面の反対面である第２面よりも吸収率が高い光吸収面に形成され、
前記第２面は、前記第１面よりも反射率が高い反射面に形成され、
前記第２の光調整板は、前記第２の光調整板の両面のうち第３面が前記第２の光源と向き合うように配置され、
前記第３面は、前記第３面の反対面である第４面よりも吸収率が高い光吸収面に形成され、
前記第４面は、前記第３面よりも反射率が高い反射面に形成される
ことを特徴とする照明装置。
【請求項２】
前記第２の反射板と、前記第３の反射板との間に配置され、両面が光を遮断する遮光面に形成される遮光板をさらに備える
ことを特徴とする請求項１に記載の照明装置。
【請求項３】
前記一方向は、前記対象物の起立方向に交差する方向である
ことを特徴とする請求項１又は２に記載の照明装置。
【請求項４】
前記第１の光源および前記第２の光源のそれぞれは、複数の発光ダイオードを備える
ことを特徴とする請求項１〜３の何れか一項に記載の照明装置。
【請求項５】
前記光源に電力を供給する電源ユニットと、前記電源ユニットを収納し、前記筐体を回転自在に保持する設置台とをさらに備える
ことを特徴とする請求項１〜４の何れか一項に記載の照明装置。
【発明の詳細な説明】
【技術分野】
【０００１】
本発明は、照明装置に関し、特に、設置面に対して起立する対象物の照射面に光を照射する照明装置に関する。
【背景技術】
【０００２】
従来例として、特許文献１に記載の照明装置を例示する。特許文献１に記載の照明装置（ホリゾントライト）は、テレビスタジオやステージなどの背景である壁面（ホリゾント面）を照明するために設置される。ホリゾントライトは、床面側に設けられるロアーホリゾントライトおよび天井側に設置されるアッパーホリゾントライトなどが含まれる。ホリゾントライトは、光源部と、光源部に電源を供給する電源部と、光源部を電源部に対して支持する支持部とを備える。光源部は、光を照射する前面が壁面に対して斜め上方へ向けて対向するように、所定角度を上向きとした傾斜姿勢に設置される。
【０００３】
光源部は、前面が開口する開口部を有するケース、およびカバーとで構成される本体を有している。ケースの内部には、複数のＬＥＤが実装された基板を備える発光ユニットおよび反射手段が配設されている。基板には、複数のＬＥＤが水平方向に沿ってＬＥＤ列を形成するようにライン状に配列されているとともに、ＬＥＤ列が上下方向に複数列配列されている。反射手段は、複数のＬＥＤから上下方向へ向かう光を開口部へ向けて反射する上下方向に一対の反射板を備える。
【先行技術文献】
【特許文献】
【０００４】
【特許文献１】特開２０１５−００２１５７号公報
【発明の概要】
【発明が解決しようとする課題】
【０００５】
ところで、特許文献１記載の照明装置（ホリゾントライト）は、壁面（対象物の照射面）に対して下側の位置（床面側）または上側の位置（天井側）に設置される。床面側に配置された照明装置は、床面から上方へ、または天井側に配置された照明装置は、天井側から下方へ光が伸びるように各ＬＥＤ列の上下に一対の反射板を用いて配光制御を行っている。
【０００６】
しかしながら、特許文献１に記載されている構成の反射板では、対象物の照射面に光むらが発生する場合がある。
【０００７】
本発明は、上記事由に鑑みてなされており、対象物の照射面における光むらの発生を低減する照明装置を提供することを目的とする。
【課題を解決するための手段】
【０００８】
本発明の照明装置は、設置面に対して起立する対象物の照射面に光を照射する照明装置であって、光源と、前記光源を収容する筐体と、前記筐体に収容されて前記光源が放射する光の経路を調整する光調整部とを備え、前記光源は、前記筐体において、一方向に並べて配置される第１の光源と第２の光源とを備え、前記第２の光源は、前記第１の光源に対して前記一方向の一方側に配置され、前記光調整部は、前記第１の光源から照射される光を反射する第１の反射板および第２の反射板と、前記第２の光源から照射される光を反射する第３の反射板および第４の反射板と、前記第１の反射板と前記第２の反射板の間に設けられる第１の光調整板と、前記第３の反射板と前記第４の反射板の間に設けられる第２
の光調整板とを備え、前記第１の反射板の反射面と前記第２の反射板の反射面のそれぞれは、前記一方向において、互いに向き合うように配置され、前記第３の反射板の反射面と前記第４の反射板の反射面のそれぞれは、前記一方向において、互いに向き合うように配置され、前記第１の光調整板は、前記第１の反射板の反射面と前記第２の反射板の反射面の間に設けられ、前記第１の光源の光軸よりも前記一方側に前記第１の光源が照射する光の一部を遮断し、前記第２の光調整板は、前記第３の反射板の反射面と前記第４の反射板の反射面の間に設けられ、前記第２の光源の光軸よりも前記一方側に前記第２の光源が照射する光の一部を遮断し、前記第１の光調整板は、両面が光を遮断する遮光面に形成され、前記第２の光調整板は、両面が光を遮断する遮光面に形成され、前記第１の光調整板は、前記第１の光調整板の両面のうち第１面が前記第１の光源と向き合うように配置され、前記第１面は、前記第１面の反対面である第２面よりも吸収率が高い光吸収面に形成され、前記第２面は、前記第１面よりも反射率が高い反射面に形成され、前記第２の光調整板は、前記第２の光調整板の両面のうち第３面が前記第２の光源と向き合うように配置され、前記第３面は、前記第３面の反対面である第４面よりも吸収率が高い光吸収面に形成され、前記第４面は、前記第３面よりも反射率が高い反射面に形成されることを特徴とする。
【発明の効果】
【０００９】
本発明の照明装置は、対象物の照射面における光むらの発生を低減できるという効果がある。
【図面の簡単な説明】
【００１０】
【図１】実施形態に係る照明装置を示す斜視図である。
【図２】実施形態に係る照明装置の要部を示す分解斜視図である。
【図３】実施形態に係る照明装置の要部を示し、Ａ１−Ａ２断面矢視図である。
【図４】実施形態に係る照明装置の光源を示す平面図である。
【図５】実施形態に係る照明装置の要部を示す斜視図である。
【図６】実施形態に係る照明装置の要部を示し、図６Ａは平面図、図６Ｂは正面図である。
【図７】実施形態に係る照明装置の使用例を示す配置図である。
【図８】実施形態に係る照明装置の光源からの光の経路を示す概略図である。
【図９】比較例の光源からの光の経路を示す概略図である。
【発明を実施するための形態】
【００１１】
以下、本発明に係る照明装置の実施形態について、図面を参照にして詳細に説明する。ただし、以下に説明する実施形態では、テレビスタジオやステージなどの背景である壁面（ホリゾント面）を照射する対象物とするが、対象物は背景である壁面に限定されない。なお、以下の説明において、特に断りのない限り、図１において、一方向をＸ方向とし、Ｘ方向の一方の向きをＸ１、他方の向きをＸ２として規定する。また、Ｘ方向に垂直に交わる方向をＹ方向とし、Ｙ方向の一方の向きをＹ１、他方の向きをＹ２とし、Ｘ方向およびＹ方向のそれぞれに垂直に交わる方向をＺ方向とし、Ｚ方向の一方の向きをＺ１、他方の向きをＺ２として規定する。
【００１２】
本実施形態の照明装置について、図１〜図９を参照して説明する。
【００１３】
本実施形態の照明装置１は、図１に示すように、光源４と、光源４を収容する筐体２と、筐体２に収容されて光源４が放射する光の経路を調整する光調整部３と、光源４から発生する熱を放熱する複数のヒートシンク５と、筐体２を回転自在に保持する設置台６とを備える。
【００１４】
筐体２は、図２に示すように、筐体２Ａと、筐体２Ｂとを備える。筐体２Ａは、上面カバー２１と、第１のパネル２２と、第２のパネル２３とを備える。筐体２Ｂは、取付板２４を備える。
【００１５】
上面カバー２１は、Ｙ２側が開口する箱形に形成され、矩形の上面２１１と、上面２１１の周縁からＹ２向きに突出する１対のＸ方向の側面２１３および一対のＺ方向の側面２１４とを備える。上面２１１には、矩形の開口部２１２が設けられる（図３参照）。第１のパネル２２は、透光性を有する材料によって矩形板状に形成され、上面カバー２１の開口部２１２を閉塞するように上面２１１のＹ２側に配置される（図３参照）。第２のパネル２３は、所望の配色に施された矩形板状に形成され、第１のパネル２２のＸ１側の一部をＹ２側から覆うように配置される（図３参照）。取付板２４は、図２および図３に示すように、Ｙ１側の面に光源４を保持する矩形板状に形成され、周縁からＹ１方向に突出する側板２４１を備える。取付板２４は、上面カバー２１のＹ２側の開口を閉塞するように配置され、側板２４１が上面カバー２１の側面２１３，２１４にねじによって、上面カバー２１に取り付けられる。
【００１６】
光源４は、図２および図４に示すように、取付板２４のＹ１側の面にＺ方向に並べて配置される２個の第１の光源４１と、第１の光源４１におけるＸ方向のＸ１側にＺ方向に並べて配置される２個の第２の光源４２とを備える。２個の第１の光源４１のそれぞれは、複数の発光ダイオード（ＬＥＤ）４１２で構成される発光部４１０を有する。また、２個の第１の光源４１のそれぞれは、発光部４１０などが実装される回路基板４１１などを有し、回路基板４１１において、複数のＬＥＤ４１２が実装されている面が第１のパネル２２（Ｙ１方向）に向くように取付板２４に配置される。２個の第２の光源４２のそれぞれは、複数の発光ダイオード（ＬＥＤ）４２２で構成される発光部４２０を有する。また、２個の第２の光源４２のそれぞれは、発光部４２０などが実装される回路基板４２１などを有し、回路基板４２１において、複数のＬＥＤ４２２が実装されている面が第１のパネル２２（Ｙ１方向）を向くように取付板２４に配置される（図３参照）。なお、ＬＥＤ４１２，４２２の光軸はＹ１方向に向いている。また、回路基板４１１，４２１のそれぞれは、ねじによって取付板２４に取り付けられる。
【００１７】
回路基板４１１，４２１のそれぞれには、図４に示すように、赤色ＬＥＤ（図示では、Ｒ）４１２Ｒ，４２２Ｒ、緑色ＬＥＤ（図示では、Ｇ）４１２Ｇ，４２２Ｇ、青色ＬＥＤ（図示では、Ｂ）４１２Ｂ，４２２Ｂ、白色ＬＥＤ（図示では、Ｗ）４１２Ｗ，４２２Ｗが実装されている。なお、図４に示す回路基板４１１，４２１は、一例であってＬＥＤ４１２，４２２の配置場所および色は限定されない。
【００１８】
光調整部３は、図３および図５に示すように、第１の反射板３１と、第２の反射板３２と、第３の反射板３３と、第４の反射板３４と、第１の光調整板３５と、第２の光調整板３６と、遮光板３７と、一対の側板３８と、中板３９とを備える。
【００１９】
第１の反射板３１は、図３および図６Ａに示すように、Ｚ方向に長尺な形状に形成され、短辺の一端が第１の光源４１のＸ２側付近に位置し、第１の光源４１から離れるにつれてＸ２方向に傾斜するように筐体２内に配置される。第１の反射板３１の反射面３１１は、第１のパネル２２を通って、Ｘ２方向において、できるだけ遠方に光を放射するように、例えば、反射面３１１の表面を形状加工するなどして、構成される。
【００２０】
第２の反射板３２は、Ｚ方向に長尺な形状に形成され、かつ第１の反射板３１のＹ方向の幅と比較してＹ方向の幅が短く形成されている。第２の反射板３２は、短辺の一端が第１の光源４１のＸ１側付近に位置し、第１の光源４１から離れるにつれて、Ｘ１方向に傾斜するように筐体２内に配置される。第１の反射板３１の反射面３１１と第２の反射板３２の反射面３２１のそれぞれは、互いに向き合うように配置され、第１の光源４１から放射される光を第１のパネル２２に向かって反射させる。
【００２１】
第３の反射板３３は、Ｚ方向に長尺な形状に形成され、短辺の一端が第２の光源４２のＸ２側付近に位置し、第２の光源４２から離れるにつれてＸ２方向に傾斜するように配置される。
【００２２】
第４の反射板３４は、Ｚ方向に長尺な形状に形成され、かつ第３の反射板３３のＹ方向の幅と比較してＹ方向の幅が長く形成されている。第４の反射板３４は、短辺の一端が第２の光源４２のＸ１側付近に位置し、第２の光源４２から離れるにつれて、Ｘ１方向に傾斜するように配置される。第３の反射板３３の反射面３３１と第４の反射板３４の反射面３４１のそれぞれは、互いに向き合うように配置され、第２の光源４２から放射される光を第１のパネル２２に向かって反射させる。第４の反射板３４の反射面３４１は、第１のパネル２２を通って、Ｘ２方向において、できるだけ遠方に光を放射するように、例えば、第３の反射板３３の反射面３３１に対する角度やＹ方向の幅の長さなどが調整される。
【００２３】
第１の光調整板３５は、Ｚ方向に長尺な形状に形成され、両面が遮光面３５１，３５２に形成される。遮光面３５１は、第１のパネル２２のＸ１側に照射される光の一部を遮断し、さらに光を吸収する光吸収面として黒色に形成される。遮光面３５２は、遮光面３５１と比較して反射率が高くなるように白色に形成される。第１の光調整板３５は、第１の反射板３１の反射面３１１と第２の反射板３２の反射面３２１との間であって、第１の光源４１のＸ方向の中心よりもＸ１側に寄って、遮光面３５１が第１の光源４１の方を向くように筐体２に配置される。第１の光調整板３５は、短辺の一端が、第２の反射板３２のＹ２側の一端よりもＹ１側であって、第１の光源４１から離れるにつれて、Ｘ２方向に傾斜するように配置される。
【００２４】
第２の光調整板３６は、Ｚ方向に長尺な形状に形成され、両面が遮光面３６１，３６２に形成される。遮光面３６１は、第１のパネル２２のＸ１側に照射される光の一部を遮断し、さらに光を吸収する光吸収面として黒色に形成される。遮光面３６２は、遮光面３６１と比較して反射率が高くなるように白色に形成される。第２の光調整板３６は、第３の反射板３３の反射面３３１と第４の反射板３４の反射面３４１との間であって、第２の光源４２のＸ方向の中心よりもＸ１側に寄って、遮光面３６１が第２の光源４２の方を向くように筐体２に配置される。第２の光調整板３６は、短辺の一端が、第４の反射板３４のＹ２側の一端よりもＹ１側であって、第２の光源４２から離れるにつれて、Ｘ２方向に傾斜するように配置される。
【００２５】
遮光板３７は、Ｚ方向に長尺な形状に形成され、第２の反射板３２と第３の反射板３３との間に配置される。遮光板３７には、第１の光源４１から照射される光の一部を遮断する遮光面３７１と、第２の光源４２から照射される光の一部を遮断する遮光面３７２とが両面に形成される。さらに、遮光板３７の遮光面３７１，３７２は、光を吸収する光吸収面として黒色に形成される。
【００２６】
光調整部３の一対の側板３８のそれぞれは、図５、図６Ａ、および図６Ｂに示すように、矩形板状に形成される保持部３８１と、保持部３８１のＹ２側の辺からＺ１またはＺ２方向に垂直に折り曲げられて形成される取付部３８２とを備える。保持部３８１は、図３および図５に示すように、第１の反射板３１、第２の反射板３２、第３の反射板３３、第４の反射板３４、第１の光調整板３５、第２の光調整板３６と、遮光板３７のそれぞれのＺ方向の両端を通して保持する切り込みを有する（図１及び図２参照）。保持部３８１は、Ｚ方向に向かい合う面が光源４からの光を反射する反射面に形成される。取付部３８２は、取付板２４のＹ１側の面にねじによって取り付けられる。
【００２７】
中板３９は、図６Ａおよび図６Ｃに示すように、矩形板状に形成され、Ｘ方向の両端にＺ１方向に垂直に折り曲げられた一対の取付片３９１を備える。取付片３９１は、取付板２４のＹ１側の面にねじによって取り付けられる。中板３９は、Ｚ方向に並べて配置される２個の第１の光源４１の間、かつ２個の第２の光源４２の間に配置される。また、中板３９は、両面が反射面に形成され、第１の反射板３１、第２の反射板３２、第３の反射板３３、第４の反射板３４、第１の光調整板３５、第２の光調整板３６と、遮光板３７のそれぞれを通す切り込みを備える。
【００２８】
複数のヒートシンク５のそれぞれは、図３に示すように、アルミ等の金属によって、矩形板状に形成された土台５１と、土台５１のＹ２側の面に矩形板状に形成された複数の放熱フィン５２とを備える。ヒートシンク５は、土台５１が取付板２４のＹ２側の面に取り付けられ、光源４が発生する熱を放熱する。
【００２９】
設置台６は、図１に示すように、電源ユニット６１１、制御ユニット６１２などを収容するボックス６１と、一対の支持板６２とを備える。電源ユニット６１１は、商用電源などから供給される電力を光源４に供給するための電力に変換する。制御ユニット６１２は、ＬＥＤ４１２，４２２に供給する電力を調整することで調光および調色を行う。支持板６２は、ボックス６１のＺ方向の両端に接続され、ノブボルト６３によって筐体２の角度が変更できるように筐体２を保持する。
【００３０】
なお、図１において、照明装置１を床面１０１に設置した場合の、上下、左右、および前後の方向を規定する。図１におけるＺ方向と左右方向は同じ方向であり、Ｚ１と右は同じ向きを表し、Ｚ２と左はと同じ向きを表す。また、図７〜図９において、照明装置１を床面１０１に設置した場合の、上下および前後の方向を規定する。
【００３１】
ところで、本実施形態の照明装置１は、図７に示すように、壁面（対象物の照射面）１００の設置面である床面１０１に設置される。照明装置１は、光軸ＯＡ１、ＯＡ２と同方向であるＹ方向が壁面１００の起立方向（上下方向）と交差するように床面１０１に設置される。つまり、第２の光源４２と壁面１００との前後方向の距離が第１の光源４１と壁面１００との前後方向の距離と比較して短くなる。なお、照明装置１は、前後方向において、所望の位置に設置することができ、ノブボルト６３を使用することで、光軸ＯＡ１，ＯＡ２の床面１０１に対する角度を変更することができる。
【００３２】
なお、図７において、破線Ｉ１は、第１の光調整板３５、第２の光調整板３６、および遮光板３７を有していない場合（比較例）の照度曲線を表し、壁面１００と照度曲線Ｉ１との距離が照度の大きさ（照度Ｄ１）を表している。また、図７において、実線Ｉ２は、第１の光調整板３５、第２の光調整板３６、および遮光板３７を有する場合（本実施形態の照明装置１）の照度曲線を表し、壁面１００と照度曲線Ｉ２との距離が照度の大きさ（照度Ｄ２）を表している。
【００３３】
ここで、第１の光源４１および第２の光源４２のそれぞれから放射された光の経路について説明する。図８は、第１の光調整板３５、第２の光調整板３６、および遮光板３７がある場合（本実施形態）の光の経路を示す。図８において、第１の光調整板３５の遮光面３５１および第２の光調整板３６の遮光面３６１は、反射率を低くし、光源４からの光を吸収する。また、第１の光調整板３５の遮光面３５２および第２の光調整板３６の遮光面３６２は、反射率を高くし、光源４からの光を反射する。図９は、第１の光調整板３５、第２の光調整板３６、および遮光板３７が無い場合（比較例）の光の経路を示す。また、図８および図９に示される光軸ＯＡ１は、第１の光源４１の発光部４１０の光軸を示し、光軸ＯＡ２は、第２の光源４２の発光部４２０の光軸を示す。
【００３４】
図８に示すように、第１の光源４１のＬＥＤ４１２から第１の光調整板３５に向かって斜め上方向に放射された光の経路ＯＰ１は、第１の光調整板３５の遮光面３５１に当たり遮断される。第１の光源４１のＬＥＤ４１２から前方向に向かって放射された光の経路ＯＰ２は、第２の反射板３２の反射面３２１で反射し、第１の光調整板３５の遮光面３５２で反射して、第１のパネル２２に向かって照射する。第１の光源４１のＬＥＤ４１２から遮光板３７に向かって斜め前向きに放射された光の経路ＯＰ３は、遮光板３７の遮光面３７１によって遮断される。第１の光源４１のＬＥＤ４１２から第１の反射板３１に向かって斜め後ろ方向に放射された光の経路ＯＰ４は、第１の反射板３１の反射面３１１で反射して、第１のパネル２２に向かって照射する。第１の光源４１のＬＥＤ４１２から斜め上方向に放射された光の経路ＯＰ５は、上方に向かって照射する。
【００３５】
第２の光源４２のＬＥＤ４２２から第２の光調整板３６に向かって斜め上方向に放射された光の経路ＯＰ６は、第２の光調整板３６の遮光面３６１に当たり遮断される。第２の光源４２のＬＥＤ４２２から前方向に向かって放射された光の経路ＯＰ７は、第４の反射板３４の反射面３４１で反射し、第２の光調整板３６の遮光面３６２で反射して、第１のパネル２２に向かって照射する。第２の光源４２のＬＥＤ４２２から第３の反射板３３に向かって斜め上方向に放射された光の経路ＯＰ８は、第３の反射板３３の反射面３３１で反射し、遮光板３７の遮光面３７２によって遮断される。第２の光源４２のＬＥＤ４２２から第３の反射板３３に向かって斜め後ろ方向に放射された光の経路ＯＰ９は、第３の反射板３３の反射面３３１で反射して、第１のパネル２２に向かって照射される。第２の光源４２のＬＥＤ４２２から上方向に放射された光の経路ＯＰ１０は、上方に向かって照射する。
【００３６】
図９に示す比較例において、第１の光源４１の複数のＬＥＤ４１１から放射される光の経路は、図８に示される光の経路と比較して、光軸ＯＡ１、ＯＡ２よりも前側に放射される光の経路が多い。また、第１の光源４１から放射される光によって、第１の光源４１からより近い位置の壁面１００の照度が強くなる。また、比較例において、第２の光源４２の複数のＬＥＤ４２２から放射される光の経路は、図８に示される光の経路と比較して、第２の光源４２の複数のＬＥＤ４２２の光軸ＯＡ２よりも前側に放射される光の経路が多い。また、第２の光源４２から放射される光によって、第２の光源４２からより近い位置の壁面１００の照度が強くなる。つまり、比較例の第１の光源４１と第２の光源４２による壁面１００の照度曲線Ｉ１に示されるように、壁面１００の下側の照度Ｄ１が強くなり、上側の照度Ｄ１が弱くなり易い（図７参照）。
【００３７】
そこで、本実施形態の照明装置１において、第１の光調整板３５の遮光面３５１は、図８に示すように、第１の光源４１の複数のＬＥＤ４１２が光軸ＯＡ１よりも前側に放射するする光の一部を遮断する。第２の光調整板３６の遮光面３６１は、第２の光源４２の複数のＬＥＤ４２２が光軸ＯＡ２よりも前側に放射する光の一部を遮断する。さらに、遮光板３７の遮光面３７１，３７２によって、壁面１００の下側に照射する光の一部を遮断する。
【００３８】
また、第１の光調整板３５の遮光面３５２および第２の光調整板３６の遮光面３６２は、壁面１００の光むらを低減するために、第１の光源４１および第２の光源４２が放射する光の一部を反射して、壁面１００を照射する。
【００３９】
本実施形態の照明装置１の照度曲線Ｉ２に示されるように、壁面１００の下側（床面１０１側）の照度Ｄ２が、第１の光調整板３５の遮光面３５１と、第２の光調整板３６の遮光面３６１と、遮光板３７によって低減される。また、照明装置１は、第１の光調整板３５の遮光面３５２と、第２の光調整板３６の遮光面３６２とによって、壁面１００に対する照度Ｄ２を壁面１００の上下方向の照度分布がより均一になるように壁面１００を照射する。さらに、ノブボルト６３を使用することで、筐体２の角度を変更することができ、照明装置１が図７に示される設置場所と前後方向に異なる位置に設置されても、壁面１００の上下方向における遠方の部位を照射することが可能である。
【００４０】
なお、本実施形態の照明装置１は、床面１０１だけでなく、天井に、例えば吊下げられるなどして設置されてもよい。光源４は、１個ないし２個以外の複数の第１の光源４１および第２の光源４２によって構成されてもよい。また、第１の光源４１の回路基板４１１および第２の光源４２の回路基板４２１の形状および構成は、本実施形態に限定されない。
【００４１】
第１の反射板３１、第２の反射板３２、第３の反射板３３、第４の反射板３４のそれぞれの上下方向の幅、形状、および傾斜角度は、本実施形態に限定されない。また、第１の光調整板３５、第２の光調整板３６、遮光板３７のそれぞれの上下方向の幅、形状、および傾斜角度は、本実施形態に限定されない。
【００４２】
第１の光調整板３５の遮光面３５１，３５２および第２の光調整板３６の遮光面３６１，３６２の反射率の設定は、本実施形態の設定に限定されない。照明装置１は、遮光面３５１，３５２のそれぞれの反射率が設置場所および設置環境などによって適宜設定された第１の光調整板３５を用いることが好ましい。照明装置１は、遮光面３６１，３６２のそれぞれの反射率が設置場所および設置環境などによって適宜設定された第２の光調整板３６を用いることが好ましい。第１の光調整板３５の遮光面３５１，３５２および第２の光調整板３６の遮光面３６１，３６２は、本実施形態において、表面の色によって反射率が設定されているが、表面の加工、例えば鏡面加工、をすることによって反射率が設定されてもよい。
【００４３】
遮光板３７の遮光面３７１，３７２の反射率の設定は、本実施形態の設定に限定されない。照明装置１は、遮光面３７１，３７２のそれぞれの反射率が設置場所および設置環境などによって適宜設定された遮光板３７を用いることが好ましい。遮光板３７の遮光面３７１，３７２は、表面の色によって反射率が設定されているが、表面の加工、例えば鏡面加工、をすることによって反射率が設定されてもよい。
【００４４】
ヒートシンク５は、本実施形態の材質および形状に限定されない。
【００４５】
本実施形態の照明装置１は、設置面（床面１０１）に対して起立する対象物の照射面（壁面１００）に光を照射する照明装置である。照明装置１は、光源４と、光源４を収容する筐体２と、筐体２に収容されて光源４が放射する光の経路を調整する光調整部３とを備える。光源４は、筐体２において、一方向（Ｚ方向）に並べて配置される第１の光源４１と第２の光源４２とを備える。第２の光源４２は、第１の光源４１に対して一方向（Ｘ方向）の一方側（Ｘ１側）に配置される。光調整部３は、第１の光源４１から照射される光を反射する第１の反射板３１および第２の反射板３２と、第２の光源４２から照射される光を反射する第３の反射板３３および第４の反射板３４とを備える。光調整部３は、第１の反射板３１と第２の反射板３２の間に設けられる第１の光調整板３５と、第３の反射板３３と第４の反射板３４の間に設けられる第２の光調整板３６とを備える。第１の反射板３１の反射面３１１と第２の反射板３２の反射面３２１のそれぞれは、一方向（Ｘ方向）において、互いに向き合うように配置される。第３の反射板３３の反射面３３１と第４の反射板３４の反射面３４１のそれぞれは、一方向（Ｘ方向）において、互いに向き合うように配置される。第１の光調整板３５は、第１の反射板３１の反射面３１１と第２の反射板３２の反射面３２１の間に設けられ、第１の光源４１の光軸ＯＡ１よりも一方側（前側）に第１の光源４１が照射する光の一部を遮断する。第２の光調整板３６は、第３の反射板３３の反射面３３１と第４の反射板３４の反射面３４１の間に設けられ、第２の光源４２の光軸ＯＡ２よりも一方側（前側）に第２の光源４２が照射する光の一部を遮断する。
【００４６】
本実施形態の照明装置１は上述のように形成されるので、対象物の照射面（壁面１００）における光むらの発生を低減できる。
【００４７】
本実施形態の照明装置１において、第１の光調整板３５は、両面が光を遮断する遮光面３５１，３５２に形成されることが好ましい。第２の光調整板３６は、両面が光を遮断する遮光面３６１，３６２に形成されることが好ましい。
【００４８】
本実施形態の照明装置１が上述のように形成されれば、壁面１００の床面１０１に近い照射面に対する照射をより低減しつつ、光むらの発生をより低減することが可能である。
【００４９】
本実施形態の照明装置１は、第２の反射板３２と、第３の反射板３３との間に配置され、両面が光を遮断する遮光面３７１，３７２に形成される遮光板３７をさらに備えることが好ましい。
【００５０】
本実施形態の照明装置１が上述のように形成されれば、壁面１００の床面１０１に近い照射面に対する照射をより低減することが可能である。
【００５１】
本実施形態の照明装置１において、一方向（Ｘ方向）は、対象物（壁面１００）の起立方向（上下方向）に交差する方向であることが好ましい。
【００５２】
本実施形態の照明装置１が上述のように形成されれば、壁面１００の光むらをより低減することが可能である。
【００５３】
本実施形態の照明装置１において、第１の光源４１および第２の光源４２のそれぞれは、複数の発光ダイオード４１２，４２２を備えることが好ましい。
【００５４】
本実施形態の照明装置１が上述のように形成されれば、壁面１００に所望の配色を照射することが可能である。
【００５５】
本実施形態の照明装置１は、光源４に電力を供給する電源ユニット６１１と、電源ユニット６１１を収納し、筐体２を回転自在に保持する設置台６とをさらに備えることが好ましい。
【００５６】
本実施形態の照明装置１が上述のように形成されれば、配置される場所から壁面１００に沿ってより遠方の部位まで照射することが可能である。
【符号の説明】
【００５７】
１  照明装置
１００  壁面（対象物の照射面）
１０１  床面（設置面）
２  筐体
３  光調整部
３１  第１の反射板
３１１  第１の反射板の反射面
３２  第２の反射板
３２１  第２の反射板の反射面
３３  第３の反射板
３３１  第３の反射板の反射面
３４  第４の反射板
３４１  第４の反射板の反射面
３５  第１の光調整板
３５１，３５２  第１の光調整板の遮光面
３６  第２の光調整板
３６１，３６２  第２の光調整板の遮光面
３７  遮光板
３７１，３７２  遮光板の遮光面
４  光源
４１  第１の光源
４１２  発光ダイオード
４２  第２の光源
４２２  発光ダイオード
６  設置台
６１１  電源ユニット
ＯＡ１，ＯＡ２  光軸
【図１】
0006583774.tif 000002
【図２】
0006583774.tif 000003
【図３】
0006583774.tif 000004
【図４】
0006583774.tif 000005
【図５】
0006583774.tif 000006
【図６】
0006583774.tif 000007
【図７】
0006583774.tif 000008
【図８】
0006583774.tif 000009
【図９】
0006583774.tif 000010